(57)【特許請求の範囲】
【請求項１】
複数のバーナ部を火移り可能な状態で備えたバーナが設けられ、
燃料供給路から分岐されて前記複数のバーナ部に各別に接続された複数の分岐路の夫々に、各バーナ部への燃料供給を断続する能力切換弁が設けられ、
前記複数のバーナ部のうちの１つの常時燃焼用のバーナ部に対して、その常時燃焼用のバーナ部が燃焼しているか否かを検出する燃焼検出手段が設けられ、
点火指令に基づいて、前記常時燃焼用のバーナ部への燃料供給を断続する能力切換弁を少なくとも開弁状態にする形態で選択的に開弁状態にすべく前記複数の能力切換弁を開閉操作する燃焼処理を実行し、且つ、消火指令に基づいて、前記複数の能力切換弁の全てを閉弁する消火処理を実行する制御手段が設けられた燃焼装置の故障検出装置であって、
前記制御手段が、消火指令が指令されたときには、前記消火処理を実行する前に、前記複数の能力切換弁の全てを閉弁する全閉動作と前記複数の能力切換弁の全てを開弁する全開動作とを順次実行し、且つ、前記全開動作を実行したときに、前記燃焼検出手段にて前記バーナ部の燃焼が検出されている場合は前記能力切換弁の故障であると判別する故障判別用処理を実行するように構成されている燃焼装置の故障検出装置。
【請求項２】
前記制御手段が、前記故障判別用処理において前記全閉動作を実行したときに、前記燃焼検出手段にて前記バーナ部の燃焼が検出されている場合は前記能力切換弁の故障であると判別するように構成されている請求項１記載の燃焼装置の故障検出装置。
【請求項３】
前記燃料供給路における前記複数の分岐路の分岐箇所よりも上流側の部分に、前記バーナへの燃料供給量を調整する燃料供給量調整弁が設けられ、
前記制御手段が、前記燃焼処理において、開弁状態にする能力切換弁の数を多くするほど前記バーナへの燃料供給量を多くすべく前記燃料供給量調整弁を制御するように構成され、且つ、前記故障判別用処理において前記全開動作を実行するときには、前記バーナへの燃料供給量が前記複数の能力切換弁の全てを開弁状態にする状態に対応する燃料供給量に設定された判別用設定燃料供給量になるように前記燃料供給量調整弁を制御するように構成されている請求項１又は２記載の燃焼装置の故障検出装置。
【請求項４】
前記制御手段が、設定複数回連続して前記故障判別用処理にて前記能力切換弁の故障を判別したときに、故障を報知する報知手段を作動させるように構成されている請求項１〜３のいずれか１項に記載の燃焼装置の故障検出装置。
【請求項５】
前記制御手段が、消火指令が指令されたときに、前記故障判別用処理の実行を許可する処理実行許可条件が満たされる場合に、前記故障判別用処理を実行するように構成されている請求項１〜４のいずれか１項に記載の燃焼装置の故障検出装置。
【請求項６】
前記バーナが複数設けられ、
前記制御手段が、
前記複数のバーナ夫々についての点火指令に基づいて、点火指令が指令されたバーナについて前記燃焼処理を実行し、且つ、前記複数のバーナ夫々についての消火指令に基づいて、消火指令が指令されたバーナについて前記消火処理を実行するように構成され、並びに、
前記複数のバーナのうちの複数のバーナについて前記燃焼処理を実行中のときに、それら燃焼処理を実行中の複数のバーナのうちの一部のバーナに対して消火指令が指令された場合に、前記処理実行許可条件が満たされるとして、前記故障判別用処理を実行するように構成されている請求項５記載の燃焼装置の故障検出装置。
【発明の詳細な説明】
【技術分野】
【０００１】
本発明は、複数のバーナ部を火移り可能な状態で備えたバーナが設けられ、
燃料供給路から分岐されて前記複数のバーナ部に各別に接続された複数の分岐路の夫々に、各バーナ部への燃料供給を断続する能力切換弁が設けられ、
前記複数のバーナ部のうちの１つの常時燃焼用のバーナ部に対して、その常時燃焼用のバーナ部が燃焼しているか否かを検出する燃焼検出手段が設けられ、
点火指令に基づいて、前記常時燃焼用のバーナ部への燃料供給を断続する能力切換弁を少なくとも開弁状態にする形態で選択的に開弁状態にすべく前記複数の能力切換弁を開閉操作する燃焼処理を実行し、且つ、消火指令に基づいて、前記複数の能力切換弁の全てを閉弁する消火処理を実行する制御手段が設けられた燃焼装置の故障検出装置に関する。
【背景技術】
【０００２】
かかる燃焼装置は、点火指令に基づいて、常時燃焼用のバーナ部への燃料供給を断続する能力切換弁を少なくとも開弁状態にする形態で選択的に開弁状態にすべく複数の能力切換弁を開閉操作する燃焼処理が実行されて、燃料を供給して燃焼させるバーナ部の数が複数段に切り換えられることにより、ターンダウン比を大きくすることができるようにしたものであり、消火指令が指令されると、複数の能力切換弁の全てを閉弁する消火処理が実行されて、複数のバーナ部の全てが消火されるようになっている。
そして、複数のバーナ部のうちの１つの常時燃焼用のバーナ部に対して、その常時燃焼用のバーナ部が燃焼しているか否かを検出する燃焼検出手段が設けられて、燃焼処理において複数の能力切換弁のうち開弁状態にされるものが変更されても、燃焼処理の間はバーナが燃焼しているか否かを検出することができるようになっている。
【０００３】
このような燃焼装置の故障検出装置においては、制御手段が、燃焼処理の実行中に燃焼検出手段にてバーナの消火が検出されると消火処理を実行するように構成されて、安全性を確保するようになっている（例えば、特許文献１参照。）。
【０００４】
【特許文献１】特開２００１−３０４５４８号公報
【発明の開示】
【発明が解決しようとする課題】
【０００５】
ところで、稀ではあるが、異物の噛み込みや開閉作動用のアクチュエータの異常等により、能力切換弁が完全に閉じない故障を起こす場合がある。
そして、一般には、燃料供給路における複数の分岐路の分岐箇所よりも上流側の部分に、複数のバーナ部への燃料供給を一括して断続する元燃料弁が設けられ、消火処理の際には元燃料弁が閉弁されるように構成されるので、万が一、能力切換弁が完全に閉じない故障を起こしても、消火処理が実行される際に元燃料弁が閉弁されて燃料漏れが防止されるため、安全性は確保されるが、元燃料弁と能力切換弁とにより二重で燃料を閉止する二重閉止構造が確保されるようにするのが好ましい。
【０００６】
しかしながら、従来の燃焼装置の故障検出装置では、能力切換弁の完全に閉じない故障を検出することができないために、能力切換弁が完全に閉じない故障を起こすと二重閉止構造が確保されなくなっていた。
【０００７】
本発明は、かかる実情に鑑みてなされたものであり、その目的は、簡素な構成にて能力切換弁の完全に閉じない故障を検出し得る燃焼装置の故障検出装置を提供することにある。
【課題を解決するための手段】
【０００８】
本発明の燃焼装置の故障検出装置は、複数のバーナ部を火移り可能な状態で備えたバーナが設けられ、
燃料供給路から分岐されて前記複数のバーナ部に各別に接続された複数の分岐路の夫々に、各バーナ部への燃料供給を断続する能力切換弁が設けられ、
前記複数のバーナ部のうちの１つの常時燃焼用のバーナ部に対して、その常時燃焼用のバーナ部が燃焼しているか否かを検出する燃焼検出手段が設けられ、
点火指令に基づいて、前記常時燃焼用のバーナ部への燃料供給を断続する能力切換弁を少なくとも開弁状態にする形態で選択的に開弁状態にすべく前記複数の能力切換弁を開閉操作する燃焼処理を実行し、且つ、消火指令に基づいて、前記複数の能力切換弁の全てを閉弁する消火処理を実行する制御手段が設けられたものであって、
第１特徴構成は、前記制御手段が、消火指令が指令されたときには、前記消火処理を実行する前に、前記複数の能力切換弁の全てを閉弁する全閉動作と前記複数の能力切換弁の全てを開弁する全開動作とを順次実行し、且つ、前記全開動作を実行したときに、前記燃焼検出手段にて前記バーナ部の燃焼が検出されている場合は前記能力切換弁の故障であると判別する故障判別用処理を実行するように構成されている点にある。
【０００９】
即ち、制御手段は、消火指令が指令されたときには、その消火処理を実行する前に、複数の能力切換弁の全てを閉弁する全閉動作と複数の能力切換弁の全てを開弁する全開動作とを順次実行し、且つ、全開動作を実行したときに、燃焼検出手段にてバーナ部の燃焼が検出されている場合は能力切換弁の故障であると判別する故障判別用処理を実行する。
【００１０】
つまり、複数の能力切換弁のうちの一部が完全に閉じない故障を起こしているときに、燃焼処理においてその故障を起こしている能力切換弁が開状態に切り換えられていて、その故障を起こしている能力切換弁にて燃料供給が断続されるバーナ部が燃焼しているときに、故障判別用処理が実行されて全閉動作が実行されても、完全に閉じない故障を起こしている能力切換弁にて燃料供給が断続されるバーナ部への燃料の供給は停止されないので、そのバーナ部の燃焼が継続することになり、続いて、そのような完全に閉じない故障を起こしている能力切換弁にて燃料供給が断続されるバーナ部の燃焼が継続している状態で、全開動作が実行されると、他の消火しているバーナ部にも燃料が供給されて、燃焼が継続しているバーナ部からの火移りにより複数のバーナ部の全てが燃焼することになるので、燃焼検出手段によりバーナ部の燃焼が検出されることになって、能力切換弁の故障であると判別されることになり、能力切換弁の完全に閉じない故障を検出することができる。
ちなみに、このように故障判別用処理にて能力切換弁の故障であると判別したときには故障を報知する報知手段を作動させる等の故障報知処理を実行させるように、制御手段を構成することになり、そのように制御手段により実行される故障報知処理に基づいて、メンテナンスを行って能力切換弁の完全に閉じない故障を解消することができるので、元燃料弁とにより二重閉止構造を確保することができる。
【００１１】
そして、複数のバーナ部のうちの１つの常時燃焼用のバーナ部に対して元々設けられている燃焼検出手段を用いて、故障判別用処理を実行して能力切換弁の完全に閉じない故障を検出するように構成しているので、複数のバーナ部の夫々に燃焼検出手段を設けて、消火処理の実行により複数の能力切換弁の全てを閉弁したときに全ての燃焼検出手段の検出状態を判別することにより、能力切換弁の完全に閉じない故障を検出するように構成する場合に比べて、簡素な構成とすることができ、しかも、装置価格の高騰を抑制することができる。
従って、装置価格の高騰を抑制しながら、簡素な構成にて能力切換弁の完全に閉じない故障を検出し得る燃焼装置の故障検出装置を提供することができるようになった。
【００１２】
第２特徴構成は、上記第１特徴構成に加えて、
前記制御手段が、前記故障判別用処理において前記全閉動作を実行したときに、前記燃焼検出手段にて前記バーナ部の燃焼が検出されている場合は前記能力切換弁の故障であると判別するように構成されている点にある。
【００１３】
即ち、制御手段は、故障判別用処理において全閉動作を実行したときに、燃焼検出手段にてバーナ部の燃焼が検出されている場合は能力切換弁の故障であると判別する。
つまり、燃焼検出手段が設けられている常時燃焼用のバーナ部への燃料供給を断続する能力切換弁が完全に閉じない故障を起こしている場合は、故障判別用処理において全閉動作が実行されても、その燃焼検出手段が設けられているバーナ部には燃料の供給が停止されないで継続されて、そのバーナ部の燃焼が継続することになって、燃焼検出手段によりバーナ部の燃焼が検出されることになるので、その時点で能力切換弁の故障であると判別させるようにすることにより、以降の全開動作を行うことなく能力切換弁の完全に閉じない故障を検出することができる。
従って、燃焼検出手段が設けられているバーナ部への燃料供給を断続する能力切換弁の完全に閉じない故障を迅速に検出することができる。
又、全閉動作を実行したときに燃焼検出手段にてバーナ部の燃焼が検出されて故障と判別した場合と全開動作を実行したときに燃焼検出手段にてバーナ部の燃焼が検出されて故障と判別した場合とを区別できる状態で、故障報知処理を実行させるように構成することにより、燃焼検出手段が設けられている常時燃焼用のバーナ部への燃料供給を断続する能力切換弁の故障かその他の能力切換弁の故障かが分かるようになるので、メンテナンスを容易に行うことが可能となる。
【００１４】
第３特徴構成は、上記第１又は第２特徴構成に加えて、
前記燃料供給路における前記複数の分岐路の分岐箇所よりも上流側の部分に、前記バーナへの燃料供給量を調整する燃料供給量調整弁が設けられ、
前記制御手段が、前記燃焼処理において、開弁状態にする能力切換弁の数を多くするほど前記バーナへの燃料供給量を多くすべく前記燃料供給量調整弁を制御するように構成され、且つ、前記故障判別用処理において前記全開動作を実行するときには、前記バーナへの燃料供給量が前記複数の能力切換弁の全てを開弁状態にする状態に対応する燃料供給量に設定された判別用設定燃料供給量になるように前記燃料供給量調整弁を制御するように構成されている点にある。
【００１５】
即ち、制御手段は、燃焼処理において、開弁状態にする能力切換弁の数を多くするほどバーナへの燃料供給量を多くすべく燃料供給量調整弁を制御し、故障判別用処理において全開動作を実行するときには、バーナへの燃料供給量が複数の能力切換弁の全てを開弁状態にする状態に対応する燃料供給量に設定された判別用設定燃料供給量になるように燃料供給量調整弁を制御する。
【００１６】
つまり、開弁状態にする能力切換弁の数が多いほど、即ち、燃焼させるバーナ部の数が多いほどバーナへの燃料供給量が多くなるように、燃料供給量調整弁が制御される。
そして、故障判別用処理において全開動作を実行するときには、バーナへの燃料供給量が複数の能力切換弁の全てを開弁状態にする状態に対応する燃料供給量に設定された判別用設定燃料供給量になるように燃料供給量調整弁が制御されるので、複数の能力切換弁のうちの一部が完全に閉じない故障を起こしていて、故障判別用処理の全閉動作が実行されてもそのような故障を起こしている能力切換弁にて燃料供給が断続されるバーナ部の燃焼が継続している状態で、全開動作が実行されるときには、複数の能力切換弁の全てを開弁状態にする状態に対応する燃料供給量に設定された判別用設定燃料供給量の燃料がバーナへ供給されるので、燃焼が継続しているバーナ部から消火しているバーナ部への火移りが的確に行われて、的確に複数のバーナ部の全てが燃焼することになるので、能力切換弁の完全に閉じない故障をより一層的確に検出することができる。
従って、能力切換弁の完全に閉じない故障をより一層的確に検出することができるようになった。
【００１７】
第４特徴構成は、上記第１〜第３特徴構成のいずれかに加えて、
前記制御手段が、設定複数回連続して前記故障判別用処理にて前記能力切換弁の故障を判別したときに、故障を報知する報知手段を作動させるように構成されている点にある。
【００１８】
即ち、制御手段は、設定複数回連続して故障判別用処理にて能力切換弁の故障を判別したときに、故障を報知する報知手段を作動させる。
つまり、能力切換弁が完全に閉じない故障を起こしても、その状態で開閉動作させることにより、正常な状態に復帰する場合があり、そのような場合は、メンテナンスは不要である。
そこで、設定複数回連続して故障判別用処理にて能力切換弁の故障を判別したときに、故障を報知する報知手段を作動させるようにすることにより、複数回にわたって開閉動作させても能力切換弁が正常な状態に復帰しなくて、メンテナンスが必要なときにメンテナンスを行うことができるようになり、開閉動作させることにより正常な状態に復帰可能な故障であるにも拘わらず不必要にメンテナンスを行うといった不都合を回避することができる。
従って、不必要なメンテナンスを行わないようにしながら、能力切換弁の完全に閉じない故障を検出することができるようになった。
【００１９】
第５特徴構成は、上記第１〜第４特徴構成のいずれかに加えて、
前記制御手段が、消火指令が指令されたときに、前記故障判別用処理の実行を許可する処理実行許可条件が満たされる場合に、前記故障判別用処理を実行するように構成されている点にある。
【００２０】
即ち、制御手段は、消火指令が指令されたときに、故障判別用処理の実行を許可する処理実行許可条件が満たされると故障判別用処理を実行する。
つまり、能力切換弁の完全に閉じない故障は稀に起こるものであるので、消火指令が指令される度に故障判別用処理を行う必要がない。
そこで、消火指令が指令されたときに、故障判別用処理の実行を許可する処理実行許可条件が満たされると故障判別用処理を実行するようにすることにより、能力切換弁に完全に閉じない故障が起こったときにはその故障を極力速やかに検出できながら、頻繁に故障判別用処理が行われないようにして、開閉動作の回数が多くなることによる能力切換弁の劣化を防止することができる。
従って、耐久性が低下するのを防止しながら、能力切換弁の完全に閉じない故障を検出することができるようになった。
【００２１】
第６特徴構成は、上記第５特徴構成に加えて、
前記バーナが複数設けられ、
前記制御手段が、
前記複数のバーナ夫々についての点火指令に基づいて、点火指令が指令されたバーナについて前記燃焼処理を実行し、且つ、前記複数のバーナ夫々についての消火指令に基づいて、消火指令が指令されたバーナについて前記消火処理を実行するように構成され、並びに、
前記複数のバーナのうちの複数のバーナについて前記燃焼処理を実行中のときに、それら燃焼処理を実行中の複数のバーナのうちの一部のバーナに対して消火指令が指令された場合に、前記処理実行許可条件が満たされるとして、前記故障判別用処理を実行するように構成されている点にある。
【００２２】
即ち、制御手段は、複数のバーナ夫々についての点火指令に基づいて、点火指令が指令されたバーナについて燃焼処理を実行する。又、制御手段は、複数のバーナ夫々についての消火指令に基づいて、消火指令が指令されたバーナについて消火処理を実行する。
そして、制御手段は、複数のバーナのうちの複数のバーナについて燃焼処理を実行中のときに、それら燃焼処理を実行中の複数のバーナのうちの一部のバーナに対して消火指令が指令された場合に、処理実行許可条件が満たされるとして、故障判別用処理を実行する。
【００２３】
つまり、消火指令が指令されたバーナとは別のバーナが燃焼している状態で、消火指令が指令されたバーナについて故障判別用処理が実行されることになるので、そのように消火指令が指令されたバーナについて故障判別用処理が実行されても、別のバーナが燃焼していることにより、故障判別用処理が実行されていることを使用者が気付き難くなり、通常とは異なる処理が行われていることを使用者が気付き難いようにすることができる。
従って、通常とは異なる処理が行われていることを使用者が気付き難いようにして、使用者が違和感を覚えるのを防止しながら、能力切換弁の完全に閉じない故障を検出することができるようになった。
【発明を実施するための最良の形態】
【００２４】
以下、図面に基づいて、本発明の燃焼装置の故障検出装置を燃焼装置の一例としての給湯装置に適用した場合の実施形態を説明する。
図１に示すように、給湯装置は、熱源機Ｇと、その熱源機Ｇの運転を制御する制御部Ｃ（制御手段に相当する）と、その制御部Ｃに各種制御指令を指令するリモコンＲとを備えて構成されている。
【００２５】
以下、前記熱源機Ｇについて説明を加える。
図１に示すように、前記熱源機Ｇは、一般家庭用の水道管に接続された給水路１からの水を加熱して加熱後の湯水を給湯栓２や浴槽Ｙに供給するための給湯用加熱部Ａ、及び、熱消費端末Ｔに循環供給する湯水を加熱したり浴槽Ｙの湯水を追焚きするための暖房用加熱部Ｂ等を備えて構成されている。ちなみに、熱消費端末Ｔとして、例えば、浴室暖房乾燥機、床暖房装置等が設けられる。
【００２６】
前記給湯用加熱部Ａ及び暖房用加熱部Ｂについて説明を加える。
給湯用加熱部Ａは、給湯用熱交換器３Ａと、ガス燃焼式の３つのバーナ部４ｐを火移り可能な状態で備えて給湯用熱交換器３Ａを加熱する給湯用バーナ４Ａと、その給湯用バーナ４Ａに燃焼用空気を供給する給湯燃焼用送風機５Ａとを備えて構成され、暖房用加熱部Ｂは、暖房用熱交換器３Ｂと、ガス燃焼式の３つのバーナ部４ｐを火移り可能な状態で備えて暖房用熱交換器３Ｂを加熱する暖房用バーナ４Ｂと、その暖房用バーナ４Ｂに燃焼用空気を供給する暖房燃焼用送風機５Ｂとを備えて構成されている。
【００２７】
前記給湯用熱交換器３Ａは、給湯用燃焼室６Ａ内の上方側に設けられ、前記給湯用バーナ４Ａは、３つのバーナ部４ｐが横方向に並ぶ姿勢で給湯用燃焼室６Ａ内の下方側に設けられ、前記給湯燃焼用送風機５Ａは、前記給湯用バーナ４Ａの３つのバーナ部４ｐの全てに燃焼用空気を供給するように設けられている。
前記暖房用熱交換器３Ｂは、暖房用燃焼室６Ｂ内の上方側に設けられ、前記暖房用バーナ４Ｂは、３つのバーナ部４ｐが横方向に並ぶ姿勢で暖房用燃焼室６Ｂ内の下方側に設けられ、前記暖房燃焼用送風機５Ｂは、前記暖房用バーナ４Ｂの３つのバーナ部４ｐの全てに燃焼用空気を供給するように設けられている。
尚、以下の説明では、前記給湯用バーナ４Ａや前記暖房用バーナ４Ｂの３つのバーナ部４ｐを区別するときは、図１において中央に位置するバーナ部４ｐを中央バーナ部４ｐと、図１において左側に位置するバーナ部４ｐを左側バーナ部４ｐと、図１において右側に位置するバーナ部４ｐを右側バーナ部４ｐと夫々称する。
前記給湯用燃焼室６Ａ及び前記暖房用燃焼室６Ｂ夫々の上部に連通する状態で、排気路７が設けられている。
【００２８】
ガス燃料供給用の燃料供給路８が、給湯用分岐路８Ａと暖房用分岐路８Ｂとに分岐され、更に、給湯用分岐路８Ａ及び暖房用分岐路８Ｂ夫々が３つの能力切換用分岐路８ｐに分岐されている。
そして、給湯用分岐路８Ａから分岐された３つの能力切換用分岐路８ｐが給湯用バーナ４Ａの３つのバーナ部４ｐに各別に接続され、３つの能力切換用分岐路８ｐの夫々に、各バーナ部４ｐへの燃料供給を断続する給湯用能力切換弁９Ａが設けられ、更に、給湯用分岐路８Ａ（即ち、燃料供給路８における複数の能力切換用分岐路８ｐの分岐箇所よりも上流側の部分に相当する）には、給湯用バーナ４Ａへの燃料供給量を調整する給湯用燃料供給量調整弁１０Ａが設けられている。
又、暖房用分岐路８Ｂから分岐された３つの能力切換用分岐路８ｐが暖房用バーナ４Ｂの３つのバーナ部４ｐに各別に接続され、３つの能力切換用分岐路８ｐの夫々に、各バーナ部４ｐへの燃料供給を断続する暖房用能力切換弁９Ｂが設けられ、更に、暖房用分岐路８Ｂ（即ち、燃料供給路８における複数の能力切換用分岐路８ｐの分岐箇所よりも上流側の部分に相当する）には、暖房用バーナ４Ｂへの燃料供給量を調整する暖房用燃料供給量調整弁１０Ｂが設けられている。
更に、燃料供給路８における給湯用分岐路８Ａ及び暖房用分岐路８Ｂの分岐箇所よりも上流側の部分に、給湯用バーナ４Ａ及び暖房用バーナ４Ｂへの燃料供給を一括して断続する元燃料弁１１が設けられている。
【００２９】
つまり、熱源機Ｇが上述のように構成されることにより、複数のバーナ部４ｐを火移り可能な状態で備えたバーナ４Ａ，４Ｂが設けられ、燃料供給路８から分岐されて前記複数のバーナ部４ｐに各別に接続された複数の分岐路８ｐの夫々に、各バーナ部４ｐへの燃料供給を断続する能力切換弁９Ａ，９Ｂが設けられている。
又、前記燃料供給路８における前記複数の分岐路８ｐの分岐箇所よりも上流側の部分に、前記バーナ４Ａ，４Ｂへの燃料供給量を調整する燃料供給量調整弁１０Ａ，１０Ｂが設けられている。
更に、前記バーナ４Ａ，４Ｂが複数設けられ、前記複数のバーナ４Ａ，４Ｂ夫々の前記複数のバーナ部４ｐに接続される前記複数の分岐路８ｐが、共通の燃料供給路８から分岐され、その燃料供給路８に、前記複数のバーナ４Ａ，４Ｂへの燃料供給を一括して断続する元燃料弁１１が設けられている。
【００３０】
そして、給湯用バーナ４Ａに対応する３つの給湯用能力切換弁９Ａを開閉操作することにより、給湯用バーナ４Ａの３つのバーナ部４ｐのうち、中央バーナ部４ｐのみにガス燃料を供給してその中央バーナ部４ｐのみを燃焼させる状態、中央と左側との２つのバーナ部４ｐにガス燃料を供給してそれら２つのバーナ部４ｐを燃焼させる状態、及び、３つのバーナ部４ｐの全てにガス燃料を供給してそれら３つバーナ部４ｐの全てを燃焼させる状態の３段に燃焼バーナ部数の本数を切り換えるように構成されている。
給湯用バーナ４Ａの中央バーナ部４ｐは、いずれの燃焼バーナ部数の段に切り換えられても、ガス燃料が供給されて燃焼させる常時燃焼用のバーナ部であるので、その常時燃焼用の中央バーナ部４ｐに対して、そのバーナ部４ｐが燃焼しているか否かを検出する燃焼検出手段としてのフレームロッド１２、及び、点火動作を実行するイグナイタ１３が設けられている。
【００３１】
暖房用バーナ４Ｂも、給湯用バーナ４Ａと同様に、３段に燃焼バーナ部数の本数を切り換えるように構成され、その暖房用バーナ４Ｂの常時燃焼用の中央バーナ部４ｐに対して、給湯用バーナ４Ａと同様に、そのバーナ部４ｐが燃焼しているか否かを検出するフレームロッド１２、及び、点火動作を実行するイグナイタ１３が設けられている。
【００３２】
前記給水路１が前記給湯用加熱部Ａの給湯用熱交換器３Ａの湯水入口部に接続され、先端に前記給湯栓２が接続された給湯路１４が前記給湯用交換器３Ａの湯水出口部に接続されて、給水路１を通して供給される水が給湯用交換器３Ａにて加熱されて給湯路１４を通して給湯栓２に供給されるように構成されている。
【００３３】
前記給水路１には、給水温度を検出する給水サ−ミスタ１５と給水量を検出する水量センサ１６とが設けられ、給水路１における給水サ−ミスタ１５及び水量センサ１６よりも下流側の箇所と前記給湯路１４とが、給湯用熱交換器３Ａを迂回するように給水バイパス路１７にて接続されている。
前記給湯路１４と前記給水バイパス路１７との接続箇所には、給湯用熱交換器３Ａからの湯量と給水バイパス路１７からの水量との混合比を調整するミキシング弁１８が設けられ、前記給湯路１４における前記給水バイパス路１７の接続箇所よりも上流側には、給湯用熱交換器３Ａから送出される湯水の温度を検出する出湯サーミスタ１９が設けられ、前記給湯路１４における前記給水バイパス路１７の接続箇所よりも下流側には、上流側から順に、前記ミキシング弁１８により混合された後の湯水の温度を検出する給湯サーミスタ２０、湯水の量を調整する水比例弁２１、一般給湯の割込みを検出する割込み水量センサ２２が設けられている。
【００３４】
前記熱消費端末Ｔの湯水出口部と前記暖房用加熱部Ｂの暖房用熱交換器３Ｂの入口部とが温水循環用戻り路２３にて接続され、前記暖房用熱交換器３Ｂの湯水出口部と前記熱消費端末Ｔの湯水入口部とが温水循環用往き路２４にて接続され、温水循環用戻り路２３には、膨張タンク２５が介装され、更に、その温水循環用戻り路２３における膨張タンク２５よりも下流側の箇所には、膨張タンク２５内の湯水を吸引して暖房用加熱部Ｂの暖房用熱交換器３Ｂに送出するように温水循環用ポンプ２６が設けられている。
そして、温水循環用ポンプ２６の通流作用により、湯水が、温水循環用往き路２４及び温水循環用戻り路２３を通して暖房用熱交換器３Ｂと熱消費端末Ｔとにわたって循環されることになり、暖房用熱交換器３Ｂにて加熱された湯水が熱消費端末Ｔに循環供給されるように構成されている。
【００３５】
前記温水循環用往き路２４には、暖房用熱交換器３Ｂにて加熱されたのちの湯水の温度を検出する暖房往き温サーミスタ２７、及び、熱消費端末Ｔへの湯水の供給を断続する端末用熱動弁２８が設けられ、前記温水循環用戻り路２３には、熱消費端末Ｔから戻ってくる湯水の温度を検出する暖房戻り温サーミスタ２９が設けられている。
【００３６】
前記温水循環用往き路２４と温水循環用戻り路２３における膨張タンク２５よりも上流側の箇所とが、前記熱消費端末Ｔを迂回させて湯水を循環させる温水循環バイパス路３０にて接続され、そのバイパス路３０には、前記浴槽Ｙ内の湯水を追焚するための追焚用熱交換器３１と追焚用熱動弁３２とが設けられている。
この追焚用熱交換器３１の湯水出口部と浴槽Ｙの側壁部下方側に装備された循環アダプタ３３とが浴槽用往き路３４にて接続され、その循環アダプタ３３と追焚用熱交換器３１の湯水入口部とが浴槽用戻り路３５にて接続され、その浴槽用戻り路３５に、浴槽Ｙの湯水を吸引して追焚用熱交換器３１に送出するように追焚用循環ポンプ３６が設けられている。
その追焚用循環ポンプ３６の通流作用により、浴槽Ｙの湯水が浴槽用往き路３４及び浴槽用戻り路３５を通して追焚用熱交換器３１に循環供給されるように構成されている。
【００３７】
そして、端末用熱動弁２８を閉弁し且つ追焚用熱動弁３２を開弁した状態で温水循環用ポンプ２６を作動させて、暖房用熱交換器３Ｂにて加熱された湯水を熱消費端末Ｔを迂回させる状態で追焚用熱交換器３１に循環供給し、追焚用循環ポンプ３６を作動させて、浴槽Ｙの湯水を追焚用熱交換器３１に循環供給することにより、追焚用熱交換器３１にて浴槽Ｙの湯水を加熱して、浴槽Ｙを追焚するように構成されている。
【００３８】
前記浴槽用戻り路３５には、上流側から順に、圧力を検出することによって浴槽Ｙ内の水位を検出する水位センサ３７、浴槽Ｙから取り出される湯水の温度、即ち、浴槽Ｙの湯水の温度を検出する浴槽戻り温サ−ミスタ３８、浴槽用戻り路３５を開閉する電磁式の風呂２方弁３９、前記追焚用循環ポンプ３６、水流スイッチ４０が設けられ、前記浴槽用往き路３４には、浴槽Ｙに供給される湯水の温度を検出する浴槽往き温サ−ミスタ４１が設けられている。
【００３９】
前記給湯路１４における水比例弁２１と割込み水量センサ２２との間の箇所から、給湯路１４からの湯水を浴槽Ｙに供給するための湯張り路４２が分岐されて、その湯張り路４２が、前記浴槽用戻り路３５における追焚用循環ポンプ３６と水流スイッチ４０との間の箇所に接続され、この湯張り路４２には、上流側から順に、湯張り路４２を開閉する湯張り電磁弁４３と、湯張り逆止弁４４とが設けられている。
前記湯張り路４２における湯張り電磁弁４３と湯張り逆止弁４４との間の箇所には、その湯張り路４２に連通する空気層形成用ホッパ４５が介装されている。この空気層形成用ホッパ４５には、湯水を排水する排水路４６と、その排水路４６を開閉する電磁式の排水弁４７とが設けられ、排水路４６の端部が浴槽用戻り路３５における風呂２方弁３９と追焚用循環ポンプ３６との間の箇所に接続されている。
【００４０】
そして、前記湯張り電磁弁４３を開弁すると、前記給湯用熱交換器３Ａにて加熱されて湯張り路４２を通して供給される湯水が浴槽用戻り路３５を浴槽Ｙ側と前記追焚用熱交換器３１側の両側に通流して、湯張り路４２を通して供給される湯水が浴槽用往き路３４及び浴槽用戻り路３５の両方を通して浴槽Ｙに供給されることになる。
【００４１】
以下、前記制御部Ｃの制御動作を説明する。
制御部Ｃは、点火指令に基づいて、前記常時燃焼用のバーナ部４ｐへの燃料供給を断続する前記給湯用能力切換弁９Ａ（又は暖房用能力切換弁９Ｂ）を少なくとも開弁状態にする形態で選択的に開弁状態にすべく前記複数の給湯用能力切換弁９Ａ（又は、複数の暖房用能力切換弁９Ｂ）を開閉操作する燃焼処理を実行し、且つ、消火指令に基づいて、前記複数の給湯用能力切換弁９Ａ（又は、複数の暖房用能力切換弁９Ｂ）の全てを閉弁する消火処理を実行するように構成されている。
そして、本発明では、制御部Ｃは、消火指令が指令されたときには、前記消火処理を実行する前に、前記複数の給湯用能力切換弁９Ａ（又は複数の暖房用能力切換弁９Ｂ）の全てを閉弁する全閉動作と前記複数の給湯用能力切換弁９Ａ（又は複数の暖房用能力切換弁９Ｂ）の全てを開弁する全開動作とを順次実行し、且つ、前記全開動作を実行したときに、前記フレームロッド１２にて前記バーナ部４ｐの燃焼が検出されている場合は前記給湯用能力切換弁９Ａ（又は暖房用能力切換弁９Ｂ）の故障であると判別する故障判別用処理を実行するように構成されている。
又、前記制御部Ｃが、前記故障判別用処理において前記全閉動作を実行したときに、前記フレームロッド１２にて前記バーナ部４ｐの燃焼が検出されている場合は前記給湯用能力切換弁９Ａ（又は暖房用能力切換弁９Ｂ）の故障であると判別するように構成されている。
【００４２】
更に、前記制御部Ｃが、前記燃焼処理において、開弁状態にする給湯用能力切換弁９Ａ（又は暖房用能力切換弁９Ｂ）の数を多くするほど前記給湯用バーナ４Ａ（又は暖房用バーナ４Ｂ）への燃料供給量を多くすべく前記給湯用燃料供給量調整弁１０Ａ（又は暖房用燃料供給量調整弁１０Ｂ）を制御するように構成され、且つ、前記故障判別用処理において前記全開動作を実行するときには、前記給湯用バーナ４Ａ（又は暖房用バーナ４Ｂ）への燃料供給量が前記複数の給湯用能力切換弁９Ａ（又は複数の暖房用能力切換弁９Ｂ）の全てを開弁状態にする状態に対応する燃料供給量に設定された判別用設定燃料供給量になるように前記給湯用燃料供給量調整弁１０Ａ（又は暖房用燃料供給量調整弁１０Ｂ）を制御するように構成されている。
【００４３】
この実施形態では、前記制御部Ｃが、消火指令が指令されたときに、前記故障判別用処理の実行を許可する処理実行許可条件が満たされる場合に、前記故障判別用処理を実行するように構成されている。
又、この実施形態では、前記バーナが複数設けられ、前記制御部Ｃが、前記複数のバーナ夫々についての点火指令に基づいて、点火指令が指令されたバーナについて前記燃焼処理を実行し、且つ、前記複数のバーナ夫々についての消火指令に基づいて、消火指令が指令されたバーナについて前記消火処理を実行するように構成され、並びに、前記複数のバーナのうちの複数のバーナについて前記燃焼処理を実行中のときに、それら燃焼処理を実行中の複数のバーナのうちの一部のバーナに対して消火指令が指令された場合に、前記処理実行許可条件が満たされるとして、前記故障判別用処理を実行するように構成されている。
そして、この実施形態では、前記給湯用バーナ４Ａ及び前記暖房用バーナ４Ｂの２つのバーナが設けられ、前記制御部Ｃが、前記給湯用バーナ４Ａと前記暖房用バーナ４Ｂとの両方について燃焼処理を実行中のときに、それら燃焼処理を実行中の前記給湯用バーナ４Ａ及び前記暖房用バーナ４Ｂのいずれか一方に対して消火指令が指令された場合に、前記処理実行許可条件が満たされるとして、前記故障判別用処理を実行するように構成されている。
【００４４】
以下、給湯用バーナ４Ａについての燃焼処理（以下、給湯側燃焼処理と記載する場合がある）及び暖房用バーナ４Ｂについての燃焼処理（以下、暖房側燃焼処理と記載する場合がある）における制御部Ｃの制御動作を説明するが、それら給湯側燃焼処理及び暖房側燃焼処理の制御動作は同様であるので、それら給湯側燃焼処理及び暖房側燃焼処理を燃焼処理と総称し、並びに、給湯用バーナ４Ａ及び暖房用バーナ４Ｂをバーナと総称し、給湯燃焼用送風機５Ａ及び暖房燃焼用送風機５Ｂを燃焼用送風機と総称し、給湯用能力切換弁９Ａ及び暖房用能力切換弁９Ｂを能力切換弁と総称し、給湯用燃料供給量調整弁１０Ａ及び暖房用燃料供給量調整弁１０Ｂを燃料供給量調整弁と総称して説明する。
【００４５】
前記制御部Ｃは、燃焼処理においては、燃焼負荷に応じた目標燃料供給量を求めて、バーナへの燃料供給量が目標燃料供給量になるように燃料供給量調整弁を制御し、且つ、目標燃料供給量が大きいほど燃焼バーナ部数を多くするようにかつ燃焼バーナ部数の切り換えにおいてその段を維持する最大目標燃料供給量を、その段よりも燃焼バーナ部数増加側の次の段においてその段を維持する最小目標燃料供給量よりも大きく設定することにより、前記最大目標燃料供給量と前記最小目標燃料供給量との間に燃料供給量のオーバーラップ部を設けて前記燃焼バーナ部数を切り換えるべく能力切換弁を開閉操作し、並びに、目標燃料供給量に対応して設定される目標燃焼用空気供給量になるように燃焼用送風機を制御するように構成されている。
【００４６】
説明を加えると、図２に示すように、目標燃料供給量ＩＰに対して燃焼させるバーナ部４ｐの本数を切り換えたときの目標燃料供給量ＩＰと燃焼用送風機の目標回転速度との関係が予め設定されて記憶されており、その記憶された情報に基づいて前記燃焼処理が実行されるように構成されている。
つまり、演算により求めた目標燃料供給量ＩＰに基づいて、その目標燃料供給量ＩＰが少ない場合には、小インプットラインＬ１に沿うように、前記中央バーナ部４ｐに対応する能力切換弁のみを開弁し且つ燃料供給量調整弁の開度を調節し、並びに、燃焼用送風機の回転速度を制御して、中央バーナ部４ｐを燃焼させる。そして、目標燃料供給量ＩＰが多い場合には、大インプットラインＬ３に沿うように、３つの能力切換弁の全てを開弁し且つ燃料供給量調整弁の開度を調節し、並びに、燃焼用送風機の回転速度を制御して、３つのバーナ部４ｐの全てを燃焼させる。また、目標燃料供給量ＩＰが中間の場合には、中インプットラインＬ２に沿うように、中央バーナ部４ｐに対応する能力切換弁及び左側バーナ部４ｐに対応する能力切換弁を開弁し且つ燃料供給量調整弁の開度を調節し、並びに、燃焼用送風機の回転速度も制御して、中央バーナ部４ｐ及び左側バーナ部４ｐを燃焼させる。
【００４７】
前記オーバーラップ部を設ける形態について、図２に基づいて具体的に説明すると、大インプットラインＬ３を維持する最小目標燃料供給量Ｌ３ｍｉｎを設定し、中インプットラインＬ２を維持する最大目標燃料供給量Ｌ２ｍａｘを大インプットラインＬ３を維持する最小目標燃料供給量Ｌ３ｍｉｎよりも大きくすることにより、その中インプットラインＬ２を維持する最大目標燃料供給量Ｌ２ｍａｘと大インプットラインＬ３を維持する最小目標燃料供給量Ｌ３ｍｉｎとの間にオーバーラップ部を設けるようにしている。
【００４８】
同様にして、中インプットラインＬ２を維持する最小目標燃料供給量Ｌ２ｍｉｎを設定し、小インプットラインＬ１を維持する最大目標燃料供給量Ｌ１ｍａｘを中インプットラインＬ２を維持する最小目標燃料供給量Ｌ２ｍｉｎよりも大きくすることにより、その小インプットラインＬ１を維持する最大目標燃料供給量Ｌ１ｍａｘと中インプットラインＬ２を維持する最小目標燃料供給量Ｌ２ｍｉｎとの間にオーバーラップ部を設けるようにしている。
【００４９】
図２に基づいて、前記燃焼処理における燃焼バーナ部数の切り換えについて説明する。
先ず、燃焼バーナ部数の減少側への切り換えについて説明すると、３つの能力切換弁の全てを開弁して、３つのバーナ部４ｐ全てを燃焼させて、大インプットラインＬ３に基づいて目標燃料供給量ＩＰを調節すべく燃料供給量調整弁の開度を調節している状態において、目標燃料供給量ＩＰが大インプットラインＬ３を維持する最小目標燃料供給量Ｌ３ｍｉｎよりも小さくなると、右側バーナ部４ｐに対応する能力切換弁を閉弁して、中央及左側の２つのバーナ部４ｐを燃焼させる状態として、中インプットラインＬ２に基づいて目標燃料供給量ＩＰを調節すべく燃料供給量調整弁の開度を調節する。
又、中央バーナ部４ｐに対応する能力切換弁及び左側バーナ部４ｐに対応する能力切換弁を開弁して、中央及び左側の２つのバーナ部４ｐを燃焼させて、中インプットラインＬ２に基づいて目標燃料供給量ＩＰを調節すべく燃料供給量調整弁の開度を調節している状態において、目標燃料供給量ＩＰが中インプットラインＬ２を維持する最小目標燃料供給量Ｌ２ｍｉｎよりも小さくなると、左側バーナ部４ｐに対応する能力切換弁を閉弁して、中央バーナ部４ｐのみを燃焼させる状態として、小インプットラインＬ１に基づいて目標燃料供給量ＩＰを調節すべく燃料供給量調整弁の開度を調節する。
【００５０】
以下、燃焼バーナ部数の増大側への切り換えについて説明すると、中央バーナ部４ｐに対応する能力切換弁のみを開弁し中央バーナ部４ｐのみを燃焼させて、小インプットラインＬ１に基づいて目標燃料供給量ＩＰを調節すべく燃料供給量調整弁の開度を調節している状態において、目標燃料供給量ＩＰが小インプットラインＬ１を維持する最大目標燃料供給量Ｌ１ｍａｘを越えると、更に、左側バーナ部４ｐに対応する能力切換弁を開弁して、中央及び左側の２つのバーナ部４ｐを燃焼させる状態として、中インプットラインＬ２に基づいて目標燃料供給量ＩＰを調節すべく燃料供給量調整弁の開度を調節する。
又、中央バーナ部４ｐに対応する能力切換弁及び左側バーナ部４ｐに対応する能力切換弁を開弁して、中央及び左側の２つのバーナ部４ｐを燃焼させて、中インプットラインＬ２に基づいて目標燃料供給量ＩＰを調節すべく燃料供給量調整弁の開度を調節している状態において、目標燃料供給量ＩＰが中インプットラインＬ２を維持する最大目標燃料供給量Ｌ２ｍａｘを越えると、更に、右側バーナ部４ｐに対応する能力切換弁を開弁して、３つ全てのバーナ部４ｐを燃焼させる状態として、大インプットラインＬ３に基づいて目標燃料供給量ＩＰを調節すべく燃料供給量調整弁の開度を調節する。
【００５１】
次に、前記制御部Ｃの制御動作を更に具体的に説明する。
前記制御部Ｃは、前記リモコンＲと通信可能に構成されている。
図１に示すように、リモコンＲには、給湯装置の運転の開始と停止を指令する運転スイッチ８１、浴槽Ｙに湯張りする湯張り運転を指令する湯張りスイッチ８２、一般給湯用の給湯目標温度を設定する給湯温度設定スイッチ８３、浴槽Ｙ内に湯張りする湯張り目標温度を設定する浴槽温度設定スイッチ８４、浴槽Ｙ内の湯水の目標水位を設定する水位設定スイッチ８５、浴槽Ｙを追焚する追焚運転を指令する追焚スイッチ８６、熱消費端末Ｔの運転の開始と停止を指令する暖房スイッチ８７、設定温度、故障情報等の各種情報を表示する表示部８８等が設けられている。
【００５２】
そして、前記制御部Ｃは、運転スイッチ８１が操作されると制御可能な状態になり、給湯栓２が開操作されて水量センサ１６による検出水量が所定量以上になることに基づいて一般給湯運転が指令されると、給湯栓２から湯水を給湯する一般給湯運転を開始し、給湯栓２が閉操作されて水量センサ１６による検出水量が所定量未満になることに基づいて一般給湯運転の停止が指令されると一般給湯運転を終了するように構成されている。又、制御部Ｃは、湯張りスイッチ８２がオン操作されることに基づいて湯張り運転が指令されると湯張り運転を開始し、水位センサ３７の検出水位が水位設定スイッチ８５にて設定された設定水位になることに基づいて湯張り運転の停止が指令されると湯張り運転を終了し、追焚スイッチ８６が操作されることに基づいて追焚運転が指令されると、追焚運転を開始し、浴槽戻り温サ−ミスタ３８の検出温度が浴槽温度設定スイッチ８４にて設定された湯張り目標温度になることに基づいて追焚運転の停止が指令されると追焚運転を終了し、暖房スイッチ８７がオンされることに基づいて暖房運転が指令されると、熱消費端末Ｔに温水を循環供給する暖房運転を開始し、暖房スイッチ８７がオフされることに基づいて暖房運転の停止が指令されると暖房運転を終了するように構成されている。
【００５３】
前記一般給湯運転では、給湯栓２が開かれて水量センサ１６による検出水量が所定量以上になると、給湯用バーナ４Ａを点火する給湯側点火処理、及び、給湯栓２に供給される湯水の温度を給湯温度設定スイッチ８３にて設定された給湯目標温度にするための前記給湯側燃焼処理を実行し、給湯栓２が閉じられて水量センサ１６による検出水量が所定量未満になると、給湯用バーナ４Ａを消火する給湯側消火処理及び給湯側ポスト処理を実行する。
前記湯張り運転では、湯張りスイッチ８２がオン操作されると、湯張り電磁弁４３を開弁し、給湯用バーナ４Ａを点火する給湯側点火処理、及び、浴槽Ｙに供給される湯水の温度を浴槽温度設定スイッチ８４にて設定された湯張り目標温度にするための給湯側燃焼処理を実行し、水位センサ３７の検出水位が水位設定スイッチ８５にて設定された目標水位になると、給湯用バーナ４Ａを消火する給湯側消火処理及び給湯側ポスト処理を実行する。
【００５４】
前記給湯側点火処理では、給湯用加熱部Ａにおける給湯燃焼用送風機５Ａを駆動した後、３つの給湯用能力切換弁９Ａ全てを開弁し、暖房用バーナ４Ｂについて暖房側燃焼処理を実行中でないときは更に元燃料弁１１を開弁し、イグナイタ１３を作動させて、給湯用バーナ４Ａを点火する。
【００５５】
前記一般給湯運転用の給湯側燃焼処理及び前記湯張り運転用の給湯側燃焼処理における制御動作は、目標燃料供給量を求めるための手順が異なる以外は同様である。
即ち、一般給湯運転用の給湯側燃焼処理では、給湯が開始されてから給湯温度がほぼ安定すると考えられる設定時間（例えば、約２０秒）が経過するまでの間は、給湯温度設定スイッチ８３により設定された給湯目標温度、水量センサ１６の検出水量及び給水サ−ミスタ１５の検出水温に基づいて、給湯路１４を通して給湯される湯水の温度を給湯目標温度にするために必要な目標燃料供給量を演算して求めて、その求めた目標燃料供給量になるように、上述した如く燃焼させるバーナ部の本数とその燃焼バーナ部へ供給する燃料供給量を調整すべく前記複数の給湯用能力切換弁９Ａ及び前記給湯用燃料供給量調整弁１０Ａを制御し、かつ、目標燃料供給量に対応して設定される目標通風量になるように給湯燃焼用送風機５Ａの通風量を制御する、いわゆるフィードフォワード（ＦＦ）制御形式での燃焼処理を実行する。その後、給湯開始から設定時間が経過した後は、給湯サーミスタ２０にて検出される給湯温度が給湯目標温度になるように目標燃料供給量を演算にて求め、求めた目標燃料供給量になるように、上述した如く燃焼させるバーナ部の本数とその燃焼バーナ部へ供給する燃料供給量を調整すべく前記複数の給湯用能力切換弁９Ａ及び前記給湯用燃料供給量調整弁１０Ａを制御し、かつ、給湯サーミスタ２０にて検出される給湯温度が給湯目標温度になるようにミキシング弁１８の開度を調節し、かつ、目標燃料供給量に対応して設定される目標通風量になるように給湯燃焼用送風機５Ａの通風量を制御する、いわゆるフィードバック（ＦＢ）制御形式での燃焼処理を実行する。
前記湯張り運転用の給湯側燃焼処理では、給湯温度設定スイッチ８３により設定された給湯目標温度に代えて、浴槽温度設定スイッチ８４にて設定される湯張り目標温度を用いて、上述した一般給湯運転用の給湯側燃焼処理と同様の手順で目標燃料供給量を求める。
【００５６】
前記給湯側消火処理では、３つの給湯用能力切換弁９Ａ全てを閉弁し、前記給湯側ポスト処理では、暖房用バーナ４Ｂについて暖房側燃焼処理を実行中でないときは元燃料弁１１を閉弁し、暖房用バーナ４Ｂについて暖房側燃焼処理を実行中のときは元燃料弁１１の開弁状態を維持し、３つの給湯用能力切換弁９Ａ全てを閉弁した後の経過時間がポストパージ用設定時間に達すると給湯燃焼用送風機５Ａを停止させる。
【００５７】
つまり、給湯栓２が開かれて水量センサ１６による検出水量が所定量以上になることや、湯張りスイッチ８２がオン操作されることが給湯用バーナ４Ａについての点火指令に相当し、給湯栓２が閉じられて水量センサ１６による検出水量が所定量未満になることや、水位センサ３７の検出水位が水位設定スイッチ８５にて設定された目標水位になることが給湯用バーナ４Ａについての消火指令に相当する。
【００５８】
前記追焚運転では、追焚スイッチ８６がオン操作されると、端末用熱動弁２８を閉弁し且つ追焚用熱動弁３２を開弁した状態で温水循環用ポンプ２６及び追焚用循環ポンプ３６を作動させた後、暖房用バーナ４Ｂを点火する暖房側点火処理、及び、浴槽用往き路３４を通して浴槽Ｙに供給される湯水の温度を追焚用設定温度（例えば６０°Ｃ）にするための前記暖房側燃焼処理を実行し、浴槽戻り温サ−ミスタ３８の検出温度が浴槽温度設定スイッチ８４にて設定された湯張り目標温度以上になると、暖房用バーナ４Ｂを消火する暖房側消火処理及び暖房側ポスト処理を実行する。
前記暖房運転では、暖房スイッチ８７がオン操作されると、端末用熱動弁２８を開弁し且つ追焚用熱動弁３２を閉弁した状態で温水循環用ポンプ２６を作動させた後、暖房用バーナ４Ｂを点火する暖房側点火処理、及び、温水循環用往き路２４を通して浴槽Ｙに供給される湯水の温度を暖房用設定温度（例えば６０°Ｃ）にするための前記暖房側燃焼処理を実行し、暖房スイッチ８７がオフされると、暖房用バーナ４Ｂを消火する暖房側消火処理及び暖房側ポスト処理を実行する。
【００５９】
前記暖房側点火処理では、暖房用加熱部Ｂにおける暖房燃焼用送風機５Ｂを駆動した後、３つの暖房用能力切換弁９Ｂ全てを開弁し、給湯用バーナ４Ａについて給湯側燃焼処理を実行中でないときは更に元燃料弁１１を開弁し、イグナイタ１３を作動させて、暖房用バーナ４Ｂを点火する。
【００６０】
前記追焚運転用の暖房側燃焼処理及び前記暖房運転用の暖房側燃焼処理は、目標燃料供給量を求めるための手順が異なる以外は同様である。
即ち、追焚運転用の暖房側燃焼処理では、前記追焚用設定温度、浴槽往き温サ−ミスタ４１の検出温度及び浴槽戻り温サ−ミスタ３８の検出温度等に基づいて、浴槽用往き路３４を通して浴槽Ｙに供給される湯水の温度を前記追焚用設定温度にするために必要な目標燃料供給量を演算して求めて、その求めた目標燃料供給量になるように、上述した如く燃焼させるバーナ部の本数とその燃焼バーナ部へ供給する燃料供給量を調整すべく前記複数の暖房用能力切換弁９Ｂ及び前記暖房用燃料供給量調整弁１０Ｂを制御し、かつ、目標燃料供給量に対応して設定される目標通風量になるように暖房燃焼用送風機５Ｂの通風量を制御する。
前記暖房運転用の暖房側燃焼処理では、前記暖房用設定温度、暖房往き温サーミスタ２７の検出温度及び暖房戻り温サーミスタ２９の検出温度等に基づいて、温水循環用往き路２４を通して熱消費端末Ｔに供給される湯水の温度を前記暖房用設定温度にするために必要な目標燃料供給量を求める。
【００６１】
前記暖房側消火処理では、３つの暖房用能力切換弁９Ｂ全てを閉弁し、前記暖房側ポスト処理では、給湯用バーナ４Ａについて給湯側燃焼処理を実行中でないときは元燃料弁１１を閉弁し、給湯用バーナ４Ａについて給湯側燃焼処理を実行中のときは元燃料弁１１の開弁状態を維持し、３つの暖房用能力切換弁９Ｂ全てを閉弁した後の経過時間がポストパージ用設定時間に達すると暖房燃焼用送風機５Ｂを停止させる。
【００６２】
つまり、追焚スイッチ８７がオン操作されることや、暖房スイッチ８７がオン操作されることが暖房用バーナ４Ｂについての点火指令に相当し、浴槽戻り温サ−ミスタ３８の検出温度が浴槽温度設定スイッチ８４にて設定された湯張り目標温度以上になることや、暖房スイッチ８７がオフ操作されることが暖房用バーナ４Ｂについての消火指令に相当する。
【００６３】
次に、前記故障判別用処理について説明を加える。
前記制御部Ｃは、前記給湯用バーナ４Ａと前記暖房用バーナ４Ｂとの両方について燃焼処理を実行中のときに、給湯用バーナ４Ａに対して消火指令が指令されると、前記処理実行許可条件が満たされるとして、給湯用バーナ４Ａについて給湯側の故障判別用処理を実行し、暖房用バーナ４Ｂに対して消火指令が指令されると、前記処理実行許可条件が満たされるとして、暖房用バーナ４Ｂについて暖房側の故障判別用処理を実行するように構成されている。
【００６４】
前記制御部Ｃは、給湯側の故障判別用処理では、給湯用バーナ４Ａに対して消火指令が指令されると、元燃料弁１１及び給湯用燃料供給量調整弁１０Ａの開弁状態を維持し且つ給湯燃焼用送風機５Ａの作動状態を維持した状態で、３つの給湯用能力切換弁９Ａの全てを閉弁する全閉動作を実行し、その全閉動作の実行後、待機用設定時間が経過すると、給湯用バーナ４Ａの側のフレームロッド１２の検出状態を調べて、そのフレームロッド１２が燃焼を検出している場合は、フレームロッド１２が設けられている中央バーナ部４ｐに対応する給湯用能力切換弁９Ａの故障（以下、第１故障と記載する場合がある）であると判別して、その時点で故障判別用処理を終了し、一方、フレームロッド１２が燃焼を検出していない場合は、給湯用バーナ４Ａへの燃料供給量が前記判別用設定燃料供給量になるように給湯用燃料供給量調整弁１０Ａの開度を調整し且つ前記判別用設定燃料供給量に対応する目標通風量になるように給湯燃焼用送風機５Ａの通風量を制御する状態で、３つの給湯用能力切換弁９Ａの全てを開弁する全開動作を実行し、その全開動作の実行後、前記待機用設定時間が経過すると、給湯用バーナ４Ａの側のフレームロッド１２の検出状態を調べて、そのフレームロッド１２が燃焼を検出している場合は、フレームロッド１２が設けられていないバーナ部４ｐに対応する給湯用能力切換弁９Ａの故障（以下、第２故障と記載する場合がある）であると判別する。
そして、前記制御部Ｃは、給湯側の故障判別用処理にて、故障判別用設定回数連続して第１故障を判別すると、給湯用バーナ４Ａの側が第１故障であることを示す情報をリモコンＲの表示部８８に表示し、前記故障判別用設定回数連続して第２故障を判別すると、給湯用バーナ４Ａの側が第２故障であることを示す情報をリモコンＲの表示部８８に表示する。
【００６５】
又、制御部Ｃは、暖房側の故障判別用処理では、暖房用バーナ４Ｂに対して消火指令が指令されると、元燃料弁１１及び暖房用燃料供給量調整弁１０Ｂの開弁状態を維持し且つ暖房燃焼用送風機５Ｂの作動状態を維持した状態で、３つの暖房用能力切換弁９Ｂの全てを閉弁する全閉動作を実行し、その全閉動作の実行後、前記待機用設定時間が経過すると、暖房用バーナ４Ｂの側のフレームロッド１２の検出状態を調べて、そのフレームロッド１２が燃焼を検出している場合は、フレームロッド１２が設けられている中央バーナ部４ｐに対応する暖房用能力切換弁９Ｂの故障（以下、第１故障と記載する場合がある）であると判別して、その時点で故障判別用処理を終了し、一方、フレームロッド１２が燃焼を検出していない場合は、暖房用バーナ４Ｂへの燃料供給量が前記判別用設定燃料供給量になるように暖房用燃料供給量調整弁１０Ｂの開度を調整し且つ前記判別用設定燃料供給量に対応する目標通風量になるように暖房燃焼用送風機５Ｂの通風量を制御する状態で、３つの暖房用能力切換弁９Ｂの全てを開弁する全開動作を実行し、その全開動作の実行後、前記待機用設定時間が経過すると、暖房用バーナ４Ｂの側のフレームロッド１２の検出状態を調べて、そのフレームロッド１２が燃焼を検出している場合は、フレームロッド１２が設けられていないバーナ部４ｐに対応する暖房用能力切換弁９Ｂの故障（以下、第２故障と記載する場合がある）であると判別する。
そして、前記制御部Ｃは、暖房側の故障判別用処理にて、前記故障判別用設定回数連続して第１故障を判別すると、暖房用バーナ４Ｂの側が第１故障であることを示す情報をリモコンＲの表示部８８に表示し、前記故障判別用設定回数連続して第２故障を判別すると、暖房用バーナ４Ｂの側が第２故障であることを示す情報をリモコンＲの表示部８８に表示する。
【００６６】
ちなみに、前記待機用設定時間は、給湯用能力切換弁９Ａや暖房用能力切換弁９Ｂが閉弁された後に残留ガス燃料が全てバーナ部４ｐから排出されるのに要する時間や、給湯用能力切換弁９Ａや暖房用能力切換弁９Ｂが開弁された後、ガス燃料がバーナ部４ｐに供給されるのに要する時間よりも長い時間、例えば、１秒間に設定され、前記故障判別用設定回数は、複数回、例えば３回に設定される。
又、前記判別用設定燃料供給量は、図２に示す大インプットラインＬ３にて設定される燃料供給量、例えば、その大インプットラインＬ３を維持する最大値に設定される。
【００６７】
つまり、リモコンＲの表示部８８が故障を報知する報知手段に相当し、前記制御部Ｃが、設定複数回連続して前記故障判別用処理にて前記給湯用能力切換弁９Ａや暖房用能力切換弁９Ｂの故障を判別したときに前記報知手段を作動させるように構成されている。
【００６８】
以下、図３に基づいて、前記故障判別用処理を給湯用バーナ４Ａについての給湯側の故障判別用処理を例にして説明する。
図３の（イ）は燃焼処理中の状態を示し、この例では、３つの給湯用能力切換弁９Ａの全てが開弁状態で、３つのバーナ部４ｐの全てが燃焼している状態となっていて、元燃料弁１１及び給湯用燃料供給量調整弁１０Ａも開弁状態である。
そして、図３の（ロ）に示すように、右側バーナ部４ｐに対応する給湯用能力切換弁９Ａが完全に閉じない故障を起こしている状態で、全閉動作が実行されて３つの給湯用能力切換弁９Ａの全てが閉弁されると、中央及び左側のバーナ部４ｐの夫々に対応する給湯用能力切換弁９Ａは完全に閉じられるので、中央及び左側のバーナ部４ｐへのガス燃料の供給が断たれて中央及び左側のバーナ部４ｐが消火するが、右側バーナ部４ｐに対応する給湯用能力切換弁９Ａは完全に閉じない故障を起こしているので、右側バーナ部４ｐへのガス燃料の供給が継続されてその右側バーナ部４ｐの燃焼が継続する。
この状態では、フレームロッド１２が設けられている中央バーナ部４ｐは消火しているので、フレームロッド１２によりバーナ部４ｐの燃焼が検出されない。
【００６９】
続いて、図３の（ハ）に示すように、全開動作が実行されて、３つの給湯用能力切換弁９Ａの全てが開弁されると、消火していた中央及び左側のバーナ部４ｐにもガス燃料が供給されて、燃焼が継続している右側バーナ部４ｐからの火移りにより中央及び左側のバーナ部４ｐも燃焼するので、フレームロッド１２によりバーナ部４ｐの燃焼が検出されることになり、第２故障であると判別されることになる。
この全開動作が実行されるときは、給湯用バーナ４Ａへの燃料供給量が前記判別用設定燃料供給量になるように給湯用燃料供給量調整弁１０Ａの開度が調整され、前記判別用設定燃料供給量に対応する目標通風量になるように給湯燃焼用送風機５Ａが制御されるので、右側バーナ部４ｐから中央や左側の各バーナ部４ｐへ的確に火移りすることになる。
【００７０】
続いて、図３の（ニ）に示すように、消火処理が実行されて、３つの給湯用能力切換弁９Ａ全てが閉弁され、更に、ポスト処理が行われて、給湯用燃料供給量調整弁１０Ａ及び元燃料弁１１が閉弁されて、３つのバーナ部４ｐ全てへのガス燃料の供給が断たれるので、３つのバーナ部４ｐ全てが消火することになる。
【００７１】
図示を省略するが、フレームロッド１２が設けられている常時燃焼用の中央バーナ部４ｐに対応する給湯用能力切換弁９Ａが完全に閉じない故障を起こしていると、図３の（ロ）に示すように全閉動作が実行されても、中央バーナ部４ｐへのガス燃料の供給が継続されてその中央バーナ部４ｐの燃焼が継続するので、フレームロッド１２によりバーナ部４ｐの燃焼が検出されることになり、第１故障であると判別されることになる。
【００７２】
次に、図４及び図５に示すフローチャートに基づいて、制御部Ｃの制御動作を説明する。
図４に示すように、給湯側燃焼処理の実行中でないときに、給湯用バーナ４Ａに対して点火指令が指令されると、給湯側点火処理及び給湯側燃焼処理を実行し（ステップ＃１〜４）、その給湯側燃焼処理をステップ＃５にて給湯用バーナ４Ａに対して消火指令が指令されると判別するまで継続する。
尚、ステップ＃３の給湯側点火処理においては、暖房用バーナ４Ｂについて暖房側燃焼処理を実行中でないときは、元燃料弁１１を開弁する。
又、給湯用バーナ４Ａに対する点火指令としては、一般給湯運転を実行するための点火指令又は湯張り運転を実行するための点火指令のいずれかであり、一般給湯運転を実行するための点火指令が指令された場合は、ステップ＃４では、一般給湯運転用の給湯側燃焼処理を実行し、湯張り運転を実行するための点火指令が指令された場合は、ステップ＃４では、湯張り運転用の給湯側燃焼処理を実行することになる。
【００７３】
給湯側燃焼処理の実行中に、ステップ＃５にて、給湯用バーナ４Ａに対して消火指令が指令されると判別すると、ステップ＃６において、暖房用バーナ４Ｂについて暖房側燃焼処理を実行中か否かにより処理実行許可条件を満たすか否かを判別し、暖房側燃焼処理を実行中であって処理実行許可条件を満たすと判別する場合は、給湯側の故障判別用処理を実行し（ステップ＃７）、暖房側燃焼処理を実行中ではなくて処理実行許可条件を満たさないと判別すると、給湯側消火処理及び給湯側ポスト処理を実行する（ステップ＃８，９）。
尚、ステップ＃９の給湯側ポスト処理においては、暖房用バーナ４Ｂについて暖房側燃焼処理を実行中でないときは、元燃料弁１１を閉弁し、暖房用バーナ４Ｂについて暖房側燃焼処理を実行中のときは、元燃料弁１１を開弁状態に維持する。
【００７４】
暖房側燃焼処理の実行中でないときに、暖房用バーナ４Ｂに対して点火指令が指令されると、暖房側点火処理及び暖房側燃焼処理を実行し（ステップ＃１０〜１３）、その暖房側燃焼処理をステップ＃１４にて暖房用バーナ４Ｂに対して消火指令が指令されると判別するまで継続する。
尚、ステップ＃１２の暖房側点火処理においては、給湯用バーナ４Ａについて給湯側燃焼処理を実行中でないときは、元燃料弁１１を開弁する。
又、暖房用バーナ４Ｂに対する点火指令としては、追焚運転を実行するための点火指令又は暖房運転を実行するための点火指令のいずれかであり、追焚運転を実行するための点火指令が指令された場合は、ステップ＃１３では、追焚運転用の暖房側燃焼処理を実行し、暖房運転を実行するための点火指令が指令された場合は、ステップ＃１３では、暖房運転用の暖房側燃焼処理を実行することになる。
【００７５】
暖房側燃焼処理の実行中に、ステップ＃１４にて、暖房用バーナ４Ｂに対して消火指令が指令されると判別すると、ステップ＃１５において、給湯用バーナ４Ａについて給湯側燃焼処理を実行中か否かにより処理実行許可条件を満たすか否かを判別し、給湯側燃焼処理を実行中であって処理実行許可条件を満たすと判別する場合は、暖房側の故障判別用処理を実行し（ステップ＃１６）、給湯側燃焼処理を実行中ではなくて処理実行許可条件を満たさないと判別すると、暖房側消火処理及び暖房側ポスト処理を実行する（ステップ＃１７，１８）。
尚、ステップ＃１８の暖房側ポスト処理においては、給湯用バーナ４Ａについて給湯側燃焼処理を実行中でないときは、元燃料弁１１を閉弁し、給湯用バーナ４Ａについて給湯側燃焼処理を実行中のときは、元燃料弁１１を開弁状態に維持する。
【００７６】
次に、図５に基づいて、給湯側の故障判別用処理及び暖房側の故障判別用処理における制御動作を説明するが、両方の処理は、制御対象の能力切換弁及びバーナ部４ｐが燃焼しているか否かを検出するためのフレームロッド等が異なるものの、制御形態は同様であるので、図５は給湯側の故障判別用処理及び暖房側の故障判別用処理の両方の制御動作を示す。
そして、以下の説明では、給湯側の故障判別用処理を例にして説明する。
元燃料弁１１及び給湯用燃料供給量調整弁１０Ａの開弁状態を維持し且つ給湯燃焼用送風機５Ａの作動状態を維持した状態で、３つの給湯用能力切換弁９Ａの全てを閉弁する全閉動作を実行し、その全閉動作の実行後、待機用設定時間が経過すると、給湯用バーナ４Ａの側のフレームロッド１２の検出状態を調べる（ステップ＃２１〜２３）。
ステップ＃２３にて、給湯用バーナ４Ａの側のフレームロッド１２がバーナ部４ｐの燃焼を検出していると判別する場合は、ステップ＃２４において、第１故障の判別回数をカウントする第１故障判別回数カウント用のカウンタＮを１プラスし、ステップ＃２５にて第１故障判別回数カウント用のカウンタＮが故障判別用設定回数Ｋに達したか否かを判別して、達したと判別すると、リモコンＲの表示部８８に給湯用バーナ４Ａの側が第１故障であることを示す情報を表示し、第１故障判別回数カウント用のカウンタＮを０にリセットして（ステップ＃２７，２８）、図４に示すフローチャートのステップ＃８に戻る。
【００７７】
ステップ＃２３にて、給湯用バーナ４Ａの側のフレームロッド１２がバーナ部４ｐの燃焼を検出していないと判別する場合は、第１故障判別回数カウント用のカウンタＮを０にリセットして、ステップ＃２９に進み、ステップ＃２５にて第１故障判別回数カウント用のカウンタＮが故障判別用設定回数Ｋに達していないと判別する場合も、ステップ＃２９に進む。
【００７８】
ステップ＃２９にて、３つの給湯用能力切換弁９Ａの全てを開弁する全開動作を実行し、その全開動作の実行後、前記待機用設定時間が経過すると、給湯用バーナ４Ａの側のフレームロッド１２の検出状態を調べる（ステップ＃３０，３１）。
ステップ＃３１にて、給湯用バーナ４Ａの側のフレームロッド１２がバーナ部４ｐの燃焼を検出していると判別する場合は、ステップ＃３２において、第２故障の判別回数をカウントする第２故障判別回数カウント用のカウンタＭを１プラスし、ステップ＃３３にて第２故障判別回数カウント用のカウンタＭが前記故障判別用設定回数Ｋに達したか否かを判別して、達したと判別すると、リモコンＲの表示部８８に給湯用バーナ４Ａの側が第２故障であることを示す情報を表示し、第２故障判別回数カウント用のカウンタＭを０にリセットして（ステップ＃３５，３６）、図４に示すフローチャートのステップ＃８に戻る。
【００７９】
ステップ＃３１にて、給湯用バーナ４Ａの側のフレームロッド１２がバーナ部４ｐの燃焼を検出していないと判別する場合は、第２故障判別回数カウント用のカウンタＭを０にリセットして、図４に示すフローチャートのステップ８に戻り、ステップ＃３３にて第２故障判別回数カウント用のカウンタＭが故障判別用設定回数Ｋに達していないと判別する場合も、図４に示すフローチャートのステップ＃８に戻る。
【００８０】
尚、暖房側の故障判別用処理では、ステップ＃２８、３３、３４又は３６が終了すると、図４に示すフローチャートのステップ＃１７に戻る。
【００８１】
〔別実施形態〕
次に別実施形態を説明する。
（イ）  制御部Ｃを構成するに、上記の実施形態においては、消火指令が指令されたときに、故障判別用処理の実行を許可する処理実行許可条件が満たされる場合に故障判別用処理を実行するように構成したが、消火指令が指令されると無条件に故障判別用処理を実行するように構成しても良い。
【００８２】
（ロ）  故障判別用設定回数の設定例は、上記の実施形態において例示した３回に限定されるものではなく、２回でも４回以上でも良い。
又、故障判別用設定回数連続して故障判別用処理にて能力切換弁の故障を判別すると報知手段を作動させる構成に代えて、故障判別用処理にて能力切換弁の故障を判別すると、報知手段を作動させる構成を採用しても良い。
【００８３】
（ハ）  故障判別用処理の全閉動作を実行するときに、燃焼用送風機５Ａ，５Ｂによる通風量を１つのバーナ部４ｐを燃焼させるときの目標燃料供給量に対応する目標通風量に制御するように構成しても良い。この場合は、完全に閉じない故障を起こしている能力切換弁９Ａ，９Ｂによりガス燃料の供給が継続されて燃焼しているバーナ部４ｐの火炎が燃焼用空気により吹き消えるのを抑制することができる。
【００８４】
（ニ）  バーナの設置数は、複数設ける場合は上記の実施形態において例示した２つに限定されるものではなくて３つ以上でも良く、又、１つでも良い。
バーナを１つ設ける場合は、元燃料弁１１は、燃料供給路８における複数のバーナ部４ｐに対する複数の分岐路の分岐箇所よりも上流側の部分に設けられて、複数のバーナ部４ｐへの燃料供給を一括して断続することになる。
そして、点火処理では、常に元燃料弁１１を開弁することになり、ポスト処理では、常に元燃料弁１１を閉弁することになる。
【００８５】
（ホ）  処理実行許可条件の具体的な条件は、上記の実施形態において例示した条件に限定されるものではない。
例えば、設定複数回（例えば５回）おきの消火指令が指令されたときに、処理実行許可条件が満たされるとしても良く、あるいは、バーナを構成する複数のバーナ部の全てが燃焼しているときに、処理実行許可条件が満たされるとしても良い。
【００８６】
（ヘ）  燃焼検出手段の具体構成は、上記の実施形態において例示したフレームロッドに限定されるものではなく、例えば熱電対でも良い。
【００８７】
（ト）  本発明の燃焼装置の故障検出装置は、上記の実施形態にいて例示した如き燃焼装置の一例としての給湯装置に限らず、種々の燃料装置、例えば、ファンヒータ等に適用することができる。
【図面の簡単な説明】
【００８８】
【図１】給湯装置の全体構成を示すブロック図
【図２】目標燃料供給量と燃焼用送風機の目標回転速度との関係を示す図
【図３】故障判別用処理の制御動作を説明する図
【図４】給湯装置の制御動作のフローチャートを示す図
【図５】給湯装置の制御動作のフローチャートを示す図
【符号の説明】
【００８９】
４ｐ            バーナ部
４Ａ，４Ｂ      バーナ
８              燃料供給路
８ｐ            分岐路
９Ａ，９Ｂ      能力切換弁
１０Ａ，１０Ｂ  燃料供給量調整弁
１２            燃焼検出手段
８８            報知手段
Ｃ              制御手段
【図１】
0005107099.tif 000002
【図２】
0005107099.tif 000003
【図３】
0005107099.tif 000004
【図４】
0005107099.tif 000005
【図５】
0005107099.tif 000006